(57)【特許請求の範囲】
【請求項１】
各種機器を収納するラックの側面に設置されて前記ラックを支持するラックの転倒防止装置であって、略Ｌ字状に形成された少なくとも二本の並設したＬ型フレームと、隣接する該Ｌ型フレームを連結する連結フレームと、前記Ｌ型フレームの両端部を支持する支持フレームとで構成し、固定手段により前記ラックに固定することを特徴とするラックの転倒防止装置。
【請求項２】
前記Ｌ型フレームの垂直部分と該Ｌ型フレームの垂直部分の両端部に設けられた連結フレームとで形成される背面部と、前記Ｌ型フレームの水平部分と該Ｌ型フレームの水平部分の両端部に設けられた連結フレームとで形成される底面部とを前記ラックに収納された各種機器に接続されるコードやケーブル等を入出線するための入出線部としたことを特徴とする請求項１に記載のラックの転倒防止装置。
【請求項３】
長尺状部材に適宜間隔を設けて穿設したケーブル保持孔でケーブル等を保持するケーブルホルダーを前記Ｌ型フレームの垂直部分間に設けたことを特徴とする請求項１又は請求項２に記載のラックの転倒防止装置。
【請求項４】
断面略Ｌ字状で長手方向の端部に沿って多数の取り付け孔を穿設したマウントアングルを前記支持フレームに夫々設け、前記マウントアングル間に各種機器を取り付け可能に形成したことを特徴とする請求項１乃至請求項３に記載のラックの転倒防止装置。
【請求項５】
前記Ｌ型フレームの垂直部分にコンセントを設けたことを特徴とする請求項１乃至請求項４に記載のラックの転倒防止装置。
【請求項６】
前記Ｌ型フレームの水平部分と該Ｌ型フレームの水平部分の両端部に設けられた連結フレームとで形成される底面部の四隅にアンカーボルト挿通孔を穿設した平板状のアンカー固定具を設けたことを特徴とする請求項１乃至請求項５に記載のラックの転倒防止装置。
【請求項７】
前記Ｌ型フレームと前記支持フレームとで形成される側面部、又は前記支持フレームと該支持フレームの両端部に設けられた前記連結フレームとで形成される前面部、又は前記Ｌ型フレームの垂直部分と該Ｌ型フレームの垂直部分の両端部に設けられた前記連結フレームとで形成される背面部のうち、少なくとも一面をカバー体で被覆したことを特徴とする請求項１乃至請求項６に記載のラックの転倒防止装置。
【発明の詳細な説明】
【０００１】
【産業上の利用分野】
本発明は、各種機器を収納するラックの側面に設置されてラックを支持するラックの転倒防止装置に関する。
【０００２】
【従来の技術】
従来、ラックの転倒を防止するには、ラックを設置する床面がコンクリート等で床面に穴を設けることができる場合は、図４に示すように、ラック３１の底面部の四隅近傍に穿設した固定孔と対向する床面３２に棒状のアンカーボルト３３，３３，３３，３３を打ち込み、床面３２から突出したアンカーボルト３３，３３，３３，３３にラック３１の固定孔を挿通させてナットで締め付け固定していた。
【０００３】
また、アンカーボルトで固定できない場合は、図５に示すようにラック４１の底面部の四隅近傍にフロアースタンド４２，４２，４２，４２を設け、前後方向のフロアースタンド４２，４２間よりも長尺の平板状の耐震ベース４３を床に並設し、そして耐震ベース４３，４３上にラック４１のフロアースタンド４２，４２，４２，４２を載置させて、固定金具４４に設けた略Ｕ字状の切欠４５をラック４１のフロアースタンド４２に嵌入し、固定金具４４に穿設した螺子挿通孔４６に螺子４７を挿通させて耐震ベース４３に多数穿設した螺子孔４８に螺着固定していた。
【０００４】
【発明が解決しようとする課題】
しかしながら、アンカーボルトを使用したラックの転倒防止方法は、使用可能な場所が限定されるという欠点があり、耐震ベースを使用したラックの転倒防止方法は、横方向への荷重に対してあまり強くないという欠点があった。
【０００５】
また、通常、ラックに各種機器を設置する場合は、ラックの下部に重量の大きい機器を設置し、ラックの上部に重量の小さい機器を設置するが、ラックの下部に容量の大きな機器を設置すると、機器に接続するケーブルは図６に示すようにラック５１の底面部に設けた入出線孔５２から入出線するため、ケーブルの接続作業がやりづらく、ラック内にケーブルの収納スペースも必要とし、更に必ずしもラック内に必要ではないコンセント等をラックの背面部近傍に設置するとラック内の収納スペースが縮小するという欠点があった。
【０００６】
【課題を解決するための手段】
上記従来のラックの転倒防止装置の問題点に鑑み、本発明の目的は、ラックの転倒を確実に防止して耐震性能を向上させ、ラック内に収納される各種機器へのケーブルの接続を容易にするとともに、ラック内のスペースを効率よく使用することができ、更に転倒防止装置単体での使用を可能とするラックの転倒防止装置を提供するもので、その構造は、各種機器を収納するラックの側面に設置されてラックを支持するラックの転倒防止装置であって、略Ｌ字状に形成された少なくとも二本の並設したＬ型フレームと、隣接するＬ型フレームを連結する連結フレームと、Ｌ型フレームの両端部を支持する支持フレームとで構成し、固定手段によりラックに固定することである。
【０００７】
また、Ｌ型フレームの垂直部分とＬ型フレームの垂直部分の両端部に設けられた連結フレームとで形成される背面部と、Ｌ型フレームの水平部分とＬ型フレームの水平部分の両端部に設けられた連結フレームとで形成される底面部とをラックに収納された各種機器に接続されるコードやケーブル等を入出線するための入出線部としたことである。
【０００８】
また、長尺状部材に適宜間隔を設けて穿設したケーブル保持孔でケーブル等を保持するケーブルホルダーをＬ型フレームの垂直部分間に設けたことである。
【０００９】
また、断面略Ｌ字状で長手方向の端部に沿って多数の取り付け孔を穿設したマウントアングルを支持フレームに夫々設け、マウントアングル間に各種機器を取り付け可能に形成したことである。
【００１０】
また、Ｌ型フレームの垂直部分にコンセントを設けたことである。
【００１１】
また、Ｌ型フレームの水平部分とＬ型フレームの水平部分の両端部に設けられた連結フレームとで形成される底面部の四隅にアンカーボルト挿通孔を穿設した平板状のアンカー固定具を設けたことである。
【００１２】
また、Ｌ型フレームと支持フレームとで形成される側面部、又は支持フレームと支持フレームの両端部に設けられた連結フレームとで形成される前面部、又はＬ型フレームの垂直部分とＬ型フレームの垂直部分の両端部に設けられた連結フレームとで形成される背面部のうち、少なくとも一面をカバー体で被覆したことである。
【００１３】
【発明の実施の形態】
請求項１に記載のラックの転倒防止装置によれば、各種機器を収納するラックの側面に設置されてラックを支持するラックの転倒防止装置であって、略Ｌ字状に形成された少なくとも二本の並設したＬ型フレームと、隣接するＬ型フレームを連結する連結フレームと、Ｌ型フレームの両端部を支持する支持フレームとで構成し、固定手段によりラックに固定することにより、ラックの転倒を防止して耐震性能を向上させることができる。
【００１４】
請求項２に記載のラックの転倒防止装置によれば、Ｌ型フレームの垂直部分とＬ型フレームの垂直部分の両端部に設けられた連結フレームとで形成される背面部と、Ｌ型フレームの水平部分とＬ型フレームの水平部分の両端部に設けられた連結フレームとで形成される底面部とをラックに収納された各種機器に接続されるコードやケーブル等を入出線するための入出線部としたことにより、ラック内のスペースを効率よく使用することができるとともに各種機器へのケーブルの接続を容易に行うことができる。
【００１５】
請求項３に記載のラックの転倒防止装置によれば、長尺状部材に適宜間隔を設けて穿設したケーブル保持孔でケーブル等を保持するケーブルホルダーをＬ型フレームの垂直部分間に設けたことにより、転倒防止装置内のケーブルが煩雑にならない。
【００１６】
請求項４に記載のラックの転倒防止装置によれば、断面略Ｌ字状で長手方向の端部に沿って多数の取り付け孔を穿設したマウントアングルを支持フレームに夫々設け、マウントアングル間に各種機器を取り付け可能に形成したことにより、転倒防止装置単体での使用を可能にするとともに各種機器の増設に対応することができる。
【００１７】
請求項５に記載のラックの転倒防止装置によれば、Ｌ型フレームの垂直部分にコンセントを設けたことにより、ラック内のスペースを効率よく使用することができる。
【００１８】
請求項６に記載のラックの転倒防止装置によれば、Ｌ型フレームの水平部分とＬ型フレームの水平部分の両端部に設けられた連結フレームとで形成される底面部の四隅にアンカーボルト挿通孔を穿設した平板状のアンカー固定具を設けたことにより、ラックの転倒防止装置が堅固に固定されて耐震性能が向上し、ラックの転倒を確実に防止することができる。
【００１９】
請求項７に記載のラックの転倒防止装置によれば、Ｌ型フレームと支持フレームとで形成される側面部、又は支持フレームと支持フレームの両端部に設けられた連結フレームとで形成される前面部、又はＬ型フレームの垂直部分とＬ型フレームの垂直部分の両端部に設けられた連結フレームとで形成される背面部のうち、少なくとも一面をカバー体で被覆したことにより、外観が向上するとともに転倒防止装置内への塵埃の浸入を防止し、更に転倒防止装置単体での使用を可能にする。
【００２０】
【実施例】
本発明に係るラックの転倒防止装置の一実施例を図１〜図３の添付図面に基づいて説明する。
【００２１】
ラック１は、四本の支柱と上側面板２と下側面板３とで略直方体に形成され、前面は扉体４が開閉自在に設けられ、左右側面と背面は着脱可能なパネル５が設けられ、内部に各種機器が設置可能に形成されている。
【００２２】
転倒防止装置６は、略Ｌ字状に形成された二本の並設したＬ型フレーム７，７の両端部及び折曲部を連結フレーム８ａ，８ｂ，８ｃで連結し、夫々のＬ型フレーム７，７の両端部を支持するように支持フレーム９，９を設けて形成している。
【００２３】
Ｌ型フレーム７，７の水平部分とＬ型フレーム７，７の水平部分の両端部に設けた連結フレーム８ｂ，８ｃとで形成される底面部１０の四隅に平板状で略中央にアンカーボルト挿通孔１１を穿設したアンカー固定具１２を設け、アンカーボルト挿通孔１１，１１，１１，１１と対向する床面にアンカーボルト１３，１３，１３，１３を打ち込み、アンカーボルト挿通孔１１，１１，１１，１１にアンカーボルト１３，１３，１３，１３を挿通させてナットで締め付け固定する。尚、アンカーボルトを設けることができない場合は、そのまま使用しても良い。
【００２４】
そして、Ｌ型フレーム７，７の垂直部分とＬ型フレーム７，７の垂直部分の両端部に設けた連結フレーム８ａ，８ｂとで形成される背面部１４に側面パネル５を取り外したラック１の側面を当接させてＬ型フレーム７，７の上端部の連結フレーム８ａとラック１とをボルトとナットにより締め付け固定する。
【００２５】
Ｌ型フレーム７，７の垂直部分間には複数のケーブルホルダー１５が適宜間隔を設けて螺着固定される。このケーブルホルダー１５は長尺状の部材に適宜間隔を設けて略長方形のケーブル保持孔１６を穿設している。
【００２６】
ケーブルホルダー１５は、ラック１に収納された各種機器に接続されるケーブルやコード等が煩雑にならないように保持するためのものであり、各種機器に接続されるケーブルは転倒防止装置６の底面部１０から入線し、ケーブルをケーブルホルダー１５のケーブル保持孔１６に挿通させ、転倒防止装置６の背面部１４から出線してラック１に収納された各種機器に接続する。これによりラック１内にケーブルの収納スペースを必要とすることなく、ケーブルの接続作業も容易に行えるようになる。
【００２７】
また、ラック１に収納される各種機器には電源が必要なため、Ｌ型フレーム７の垂直部分に沿ってコンセント１７を設ける。
【００２８】
また、断面略Ｌ字状で長手方向の端部に沿って多数の取り付け孔１８を穿設したマウントアングル１９を支持フレーム９，９の内側に夫々設ける。マウントアングル１９，１９間に機器２０を設置して取り付け孔１８に螺着固定することができるため、転倒防止装置６単体でも使用が可能で、ラック１の内部スペース拡大としても使用できる。
【００２９】
転倒防止装置６は、フレームだけの状態で使用できるが、Ｌ型フレーム７，７と支持フレーム９，９とで形成される側面部２１，２１及び支持フレーム９，９と支持フレーム９，９の両端部に設けられた連結フレーム８ａ，８ｃとで形成される前面部２２をカバー体２３，２３，２３で被覆することにより、外観が向上するとともに塵埃の侵入を防止することができる。
【００３０】
尚、本実施例において転倒防止装置をラックの側面に固定したが、図３に示すように転倒防止装置６をラック１の背面に固定しても何ら問題なく本発明の趣旨を逸脱しない範囲で適宜変更可能である。
【００３１】
【発明の効果】
以上のように本発明に係るラックの転倒防止装置は、各種機器を収納するラックの側面に設置されてラックを支持するラックの転倒防止装置であって、略Ｌ字状に形成された少なくとも二本の並設したＬ型フレームと、隣接するＬ型フレームを連結する連結フレームと、Ｌ型フレームの両端部を支持する支持フレームとで構成し、固定手段によりラックに固定することにより、ラックの転倒を防止して耐震性能を向上させることができる。
【００３２】
また、Ｌ型フレームの垂直部分とＬ型フレームの垂直部分の両端部に設けられた連結フレームとで形成される背面部と、Ｌ型フレームの水平部分とＬ型フレームの水平部分の両端部に設けられた連結フレームとで形成される底面部とをラックに収納された各種機器に接続されるコードやケーブル等を入出線するための入出線部としたことにより、ラック内のスペースを効率よく使用することができるとともに各種機器へのケーブルの接続を容易に行うことができる。
【００３３】
また、長尺状部材に適宜間隔を設けて穿設したケーブル保持孔でケーブル等を保持するケーブルホルダーをＬ型フレームの垂直部分間に設けたことにより、転倒防止装置内のケーブルが煩雑にならない。
【００３４】
また、断面略Ｌ字状で長手方向の端部に沿って多数の取り付け孔を穿設したマウントアングルを支持フレームに夫々設け、マウントアングル間に各種機器を取り付け可能に形成したことにより、転倒防止装置単体での使用を可能にするとともに各種機器の増設に対応することができる。
【００３５】
また、Ｌ型フレームの垂直部分にコンセントを設けたことにより、ラック内のスペースを効率よく使用することができる。
【００３６】
また、Ｌ型フレームの水平部分とＬ型フレームの水平部分の両端部に設けられた連結フレームとで形成される底面部の四隅にアンカーボルト挿通孔を穿設した平板状のアンカー固定具を設けたことにより、ラックの転倒防止装置が堅固に固定されて耐震性能が向上し、ラックの転倒を確実に防止することができる。
【００３７】
また、Ｌ型フレームと支持フレームとで形成される側面部、又は支持フレームと支持フレームの両端部に設けられた連結フレームとで形成される前面部、又はＬ型フレームの垂直部分とＬ型フレームの垂直部分の両端部に設けられた連結フレームとで形成される背面部のうち、少なくとも一面をカバー体で被覆したことにより、外観が向上するとともに転倒防止装置内への塵埃の浸入を防止し、更に転倒防止装置単体での使用を可能にする。
【図面の簡単な説明】
【図１】本発明に係る転倒防止装置をラックの側面に固定した状態を示す斜視図である。
【図２】本発明に係る転倒防止装置にカバー体を取り付ける状態を示す斜視図である。
【図３】本発明の転倒防止装置をラックの背面に固定した状態を示す斜視図である。
【図４】従来のラックの転倒防止方法を示す正面図である。
【図５】従来のラックの転倒防止方法を示す斜視図である。
【図６】従来のラックにケーブルを入出線する構造を示す斜視図である。
【符号の説明】
１      ラック
６      転倒防止装置
７      Ｌ型フレーム
８ａ    連結フレーム
８ｂ    連結フレーム
８ｃ    連結フレーム
９      支持フレーム
１０    底面部
１１    アンカーボルト挿通孔
１２    アンカー固定具
１４    背面部
１５    ケーブルホルダー
１６    ケーブル保持孔
１７    コンセント
１８    取り付け孔
１９    マウントアングル
２０    機器
２１    側面部
２２    前面部
２３    カバー体
【図１】
0003669875.tif 000002
【図２】
0003669875.tif 000003
【図３】
0003669875.tif 000004
【図４】
0003669875.tif 000005
【図５】
0003669875.tif 000006
【図６】
0003669875.tif 000007